(57)【要約】【課題】パネル側に損傷を生じさせることなくスリットの幅を小さくする。【解決手段】ツマミ１３の背面で、レバー軸１２の差込孔１４の左右には、レバー軸１２の上下面よりも上下に突出する微小な突出部分１６，１６（突出寸法Ｓは例えば０．１〜０．２ｍｍ程度）が夫々形成される突起１５，１５が、後方へ向けて突設されている。よって、スリット１１内では、ツマミ１３が上下方向に移動しても、突起１５，１５の突出部分１６が先にスリット１１の両端縁に当接し、レバー軸１２の当接を規制する。【選択図】  図２
2004192059.tif 000002
【特許請求の範囲】
【請求項１】
金属製のパネルに形成されたスリットを貫通して外部に突出し、前記スリット内をスライド可能なレバー軸と、そのレバー軸の先端に装着されるツマミとを備えたレバー構造であって、
前記ツマミにおける前記レバー軸の装着側に、前記スリット内で前記レバー軸のスライド方向の前後に位置し、前記スリットの幅方向で前記レバー軸よりも前記スリットの両端縁側へ夫々突出する突起を設けたことを特徴とするレバー構造。
【発明の詳細な説明】
【０００１】
【発明の属する技術分野】
本発明は、金属製のパネルに形成したスリットを貫通して外部に突出し、スリット内をスライド可能なレバー軸と、そのレバー軸の先端に装着されるツマミとを備えたレバー構造に関する。
【０００２】
【従来の技術】
種々な機械器具の操作パネルには、図５に示すように、パネル２０において上下或いは左右方向へ直線状に形成したスリット２１を貫通するレバー軸２２を、当該スリット２１内でスライド可能に設け、そのレバー軸２２の先端に、スライド操作用の合成樹脂製等のツマミ２３を装着してなるレバー構造が採用される。例えば特許文献１に示すテーブルこんろにおいては、正面の操作パネルに設けられて、こんろバーナやグリルバーナへのガス量の調整用（火力調整用）に使用される。
【０００３】
【特許文献１】
特開２００１−３２４１５３号公報（図４）
【０００４】
【発明が解決しようとする課題】
この場合、金属製のレバー軸２２とスリット２１の端縁との摺動によるパネル２０側の損傷を避けるために、ツマミ２３を、スリット２１内まで突出する延設部２４を備えた形状とし、その延設部２４をスリット２１の端縁に摺接させることで、スリット２１へのレバー軸２２の当接を規制し、パネル２０側の保護を図っている。しかし、そのためにスリット２１の幅が大きくなるため、内部機構が外から見えて見栄えが悪くなる上、塵埃も侵入しやすいという不都合があった。
【０００５】
そこで、請求項１に記載の発明は、パネル側に損傷を生じさせることなくスリットの幅を小さくして、見栄えや防塵効果の向上を実現可能としたレバー構造を提供することを目的としたものである。
【０００６】
【課題を解決するための手段】
上記目的を達成するために、請求項１に記載の発明は、ツマミにおけるレバー軸の装着側に、スリット内でレバー軸のスライド方向の前後に位置し、スリットの幅方向でレバー軸よりもスリットの両端縁側へ夫々突出する突起を設けたことを特徴とするものである。
なお、本発明でいうスライドとは、レバー軸がスリット内を平行移動する構造に限らず、パネル内側に設定された基端を中心に回転することで、スリット内を旋回移動する構造も含む。
【０００７】
【発明の実施の形態】
以下、本発明の実施の形態を図面に基づいて説明する。
図１は、本発明のレバー構造を適用したグリル付きテーブルこんろ（以下単に「テーブルこんろ」という）１の斜視図で、トッププレート２の上面左右には、こんろバーナ３，３が夫々設けられており、各こんろバーナ３の周囲に設けられた五徳４に図示しない調理鍋等を載せ、正面パネル５に備えた操作ボタン６を押すことで、対応するこんろバーナ３に点火され、調理鍋等が加熱される。なお、正面パネル５は、調理鍋からの噴きこぼれ等が操作ボタン６等にかからないように、トッププレート２が前方へ張り出す格好となる断面くの字状に折曲形成されている。
また、こんろバーナ３，３の間には、魚等の被調理物を焼くためのグリル７が設けられ、操作ボタン８を押すことで、図示しないグリルバーナが点火して被調理物が加熱調理される。正面パネル５には、グリル庫内を視認するための覗き窓９が設けられている。
【０００８】
一方、正面パネル５において、各操作ボタン６，８の上方には、火力調節レバー（以下単に「レバー」という）１０が設けられる。各レバー１０は、図２，３に示すように、正面パネル５へ左右方向に設けられたスリット１１を貫通して前方へ突出する平板状のレバー軸１２と、正面パネル５の外部でレバー軸１２の先端に嵌め込み装着される合成樹脂製のツマミ１３とからなり、レバー軸１２の基端が、対応するバーナへの燃料ガスの通路に設けられる図示しないニードルに連結されている。よって、ツマミ１３を把持してスリット１１内で左右方向へ旋回させることで、レバー軸１２を介してニードルを回転させ、バーナの火力を調節可能となっている。なお、ツマミ１３の後端は、正面パネル５の傾斜形状に合わせて斜めにカットした形状で形成されている。
【０００９】
また、ツマミ１３の背面には、レバー軸１２の差込孔１４が形成されると共に、その差込孔１４の左右に、レバー軸１２が差し込まれた状態で、レバー軸１２の上下面よりも上下に突出する微小な突出部分１６，１６（突出寸法Ｓは０．１〜０．２ｍｍ程度）が夫々形成される突起１５，１５が、後方へ向けて突設されている。また、突起１５の後方への突出寸法は、ツマミ１３が左右のどの位置にあってもスリット１１内に位置できるだけの長さが確保されている。よって、スリット１１内では、ツマミ１３が上下方向に移動しても、突起１５，１５の突出部分１６，１６が先にスリット１１の上下端縁に当接し、レバー軸１２の当接を規制することになる。
【００１０】
以上の如く構成されたテーブルこんろ１によれば、レバー１０のツマミ１３に、レバー軸１２のスライド方向の前後に位置し、スリット１１の幅方向でレバー軸１２よりもスリット１１の両端縁側へ夫々突出する突起１５，１５を設けたレバー構造を採用したことで、バーナの火力調節のためにツマミ１３を把持してレバー１０を左右へスライド操作しても、レバー軸１２によってスリット１１の上下端縁を損傷させるおそれがなくなる。また、突起１５の突出部分１６，１６の突出寸法を必要最小限として、略レバー軸１２の厚みに近い寸法までスリット１１の幅を小さくできるので、外からテーブルこんろ１の内部機構が見えにくく、見栄えが良くなる上、スリット１１からの塵埃等の侵入も好適に防止可能となる。さらに、ツマミ１３自体への簡単な形状変更でこれらの効果が期待できるため、組付けの手間が余分に生じることがなく、製造に係るコストアップも最小限で済む合理的な構造となる。
【００１１】
なお、上記形態では、レバー軸１２が旋回してツマミ１３を緩やかな円弧上でスライドさせるレバー１０に本発明を適用した構造となっているが、レバー軸が平行移動してツマミを一直線上でスライドさせるレバーであっても同様に適用可能である。また、突起の形状は、左右方向にもっと薄肉のものであっても良いし円形や楕円等でも良い。数についても、スライド方向の前後に１つずつ設けるのに限らず、例えば図４のように、レバー軸１２の上下に突出する部分を含む２つの突起１７，１７を夫々配置しても差し支えない。さらに、必ずしもレバー軸に当接或いは近接させる必要はなく、ツマミが十分な大きさで、且つレバー軸のスライドを阻害しなければ、レバー軸から離れた位置に設けることもできる。
【００１２】
一方、レバー軸も上記形態のような断面四角形のものに限らず、断面円形や楕円等の軸状のものでも同様にスライド方向の前後に配置した突起によって摺接の規制は可能である。また、上記形態のように突起の突出部分の寸法を上下或いは左右で同一とする必要はなく、例えば摺動する頻度が高い下側への突出寸法を上側よりも長くとる等、上下或いは左右で突起の突出寸法を適宜変更しても差し支えない。さらに、レバー自体のスライド方向も左右に限らず上下であっても本発明は同様に採用できる。
【００１３】
その他、ツマミは合成樹脂製に限らず、ゴム製であっても良いし、ツマミと突起とも必ずしも一体成形である必要はなく、例えば金属製のツマミに対して合成樹脂製やゴム製のピンを嵌入等することで本発明の突起を形成することも可能である。
そして、本発明は、上記形態のようなテーブルこんろの火力調節レバーに限らず、湯沸器や炊飯器等の燃焼器具における温度等の調節レバーや、ＡＶ機器の音量や音質等の調整レバー等、スリットを貫通したレバー軸の先端にツマミを備える形態であれば、機械器具の種類や機能を問わず適用可能である。
【００１４】
【発明の効果】
請求項１に記載の発明によれば、レバーをスライド操作してもレバー軸によってスリットの端縁を損傷させるおそれがなくなる。また、突起の突出寸法を必要最小限として、略レバー軸の厚みに近い寸法までスリットの幅を小さくできるので、外から内部機構が見えにくく、見栄えが良くなる上、スリットからの塵埃等の侵入も好適に防止可能となる。さらに、ツマミ自体への簡単な形状変更でこれらの効果が期待できるため、組付けの手間が余分に生じることがなく、製造に係るコストアップも最小限で済む合理的な構造となる。
【図面の簡単な説明】
【図１】テーブルこんろの斜視図である。
【図２】レバー構造の拡大断面図である。
【図３】ツマミの拡大背面図である。
【図４】突起の変更例を示すツマミの拡大背面図である。
【図５】従来のレバー構造の断面説明図である。
【符号の説明】
１・・テーブルこんろ、２・・トッププレート、３・・こんろバーナ、５・・正面パネル、１０・・レバー、１１・・スリット、１２・・レバー軸、１３・・ツマミ、１５，１７・・突起。
【図１】
2004192059.tif 000003
【図２】
2004192059.tif 000004
【図３】
2004192059.tif 000005
【図４】
2004192059.tif 000006
【図５】
2004192059.tif 000007